(57)【要約】【課題】外力から本文を保護可能であって、めくり易い上製本等を提供する。【解決手段】本文３の背を表紙４でくるむ上製本１において、表紙４は、芯材となる補強部材１０と、補強部材１０をくるむ紙材２０と、を備え、補強部材１０は、表表紙又は裏表紙として機能する表紙形成部材１１と、背表紙として機能する背表紙形成部材１２と、を備え、表紙形成部材１１は、複数の資材１４、１５を並べて配置し、資材１４、１５間を境として前記表表紙又は裏表紙が折り曲げ可能である。【選択図】図１
2015104855.tif 000002
【特許請求の範囲】
【請求項１】
本文の背を表紙でくるむ上製本において、
前記表紙は、
芯材となる補強部材と、
前記補強部材をくるむ紙材と、を備え、
前記補強部材は、
表表紙又は裏表紙として機能する表紙形成部材と、背表紙として機能する背表紙形成部材と、を備え、
前記表紙形成部材は、
複数の資材を並べて配置し、資材間を境として前記表表紙又は裏表紙が折り曲げ可能であることを特徴とする上製本。
【請求項２】
上製本を形成する表紙において、
前記表紙は、
芯材となる補強部材と、
前記補強部材をくるむ紙材と、を備え、
前記補強部材は、
表表紙又は裏表紙として機能する表紙形成部材と、背表紙として機能する背表紙形成部材と、を備え、
前記表紙形成部材は、
２つの部材を並べて配置し、この部材間を境として前記表表紙又は裏表紙が折り曲げ可能であることを特徴とする表紙。
【請求項３】
冊子の表紙を覆うハードカバーにおいて、
芯材となる補強部材と、この補強部材をくるむ紙材と、を備え、この紙材には冊子の表表紙及び裏表紙を挿入する表紙挿入部が設けられ、
前記補強部材は、
表表紙又は裏表紙として機能する表紙形成部材と、背表紙として機能する背表紙形成部材と、を備え、
前記表紙形成部材は、
２つの部材を並べて配置し、この部材間を境として前記表表紙又は裏表紙が折り曲げ可能であることを特徴とするハードカバー。
【発明の詳細な説明】
【技術分野】
【０００１】
本発明はページのめくり易い上製本等に関する。
【背景技術】
【０００２】
一般に上製本と称される冊子が知られている。上製本は、例えば、本文の背が寒冷紗等の資材によって背固めされた上で、その本文が表紙でくるまれて製本される（特許文献１参照）。
【先行技術文献】
【特許文献】
【０００３】
【特許文献１】特開平８−３２４１５３号公報
【発明の概要】
【発明が解決しようとする課題】
【０００４】
上製本に用いられる表紙は、一般的にハードカバーと称されるものであり、本文を保護するとともに、重厚感をもたせる等の観点から、厚みがあって硬く形成されている。したがって、表紙を曲げることができないため、本文のページがめくりにくいという不具合がある。
【０００５】
本発明は、このような問題の解消を一つの課題とし、その目的の一例は、外力から本文を保護可能であって、めくり易い上製本等を提供するものである。
【課題を解決するための手段】
【０００６】
上記課題を解決するため、請求項１に記載の上製本（１）は、本文（３）の背を表紙（４）でくるむ上製本において、前記表紙は、芯材となる補強部材（１０）と、前記補強部材をくるむ紙材（２０）と、を備え、前記補強部材は、表表紙又は裏表紙として機能する表紙形成部材（１１）と、背表紙として機能する背表紙形成部材（１２）と、を備え、前記表紙形成部材は、複数の資材（１４、１５）を並べて配置し、資材間を境として前記表表紙又は裏表紙が折り曲げ可能であることを特徴とする。
【０００７】
また、請求項２に記載の表紙は、上製本を形成する表紙において、前記表紙は、芯材となる補強部材と、前記補強部材をくるむ紙材と、を備え、前記補強部材は、表表紙又は裏表紙として機能する表紙形成部材と、背表紙として機能する背表紙形成部材と、を備え、前記表紙形成部材は、２つの部材を並べて配置し、この部材間を境として前記表表紙又は裏表紙が折り曲げ可能であることを特徴とする。
【０００８】
また、請求項３に記載のハードカバーは、冊子の表紙を覆うハードカバー（３０）において、芯材となる補強部材と、この補強部材をくるむ紙材（３１）と、を備え、この紙材には冊子の表表紙及び裏表紙を挿入する表紙挿入部（４０）が設けられ、前記補強部材は、表表紙又は裏表紙として機能する表紙形成部材と、背表紙として機能する背表紙形成部材と、を備え、前記表紙形成部材は、２つの部材を並べて配置し、この部材間を境として前記表表紙又は裏表紙が折り曲げ可能であることを特徴とする。
【発明の効果】
【０００９】
本発明によれば、簡易な構造で、外力から本文を保護するとともに、ページをめくり易い。
【図面の簡単な説明】
【００１０】
【図１】上製本の外観を示す模式図である。
【図２】上製本の表紙の構成を示す模式図である。
【図３】表紙の背面図である。
【図４】表紙の他の実施形態を示す模式図である。
【図５】第３実施形態のハードカバーの構成を示し、図５（ａ）はハードカバーの構成を示す模式図、図５（ｂ）はハードカバーの背面図である。
【発明を実施するための形態】
【００１１】
以下、図面を参照して本発明の実施形態について説明する。
【００１２】
（第１実施形態）
まず、本発明の第１実施形態である上製本について説明する。なお、図１において、便宜上、上製本１の上下方向を天地（縦）方向とし、正面側を背側、奥行側を小口側として説明する。
【００１３】
図１に示すように、本実施形態の上製本１は、本紙となる複数の枚葉紙２を重ね合わせて構成される本文３を備え、当該本文３の外側が表紙４によってくるまれて製本される。
【００１４】
本文３は、枚葉紙２の集積体で構成され、図示しない丁合機によって丁合される。各枚葉紙２は、例えば、図示しない枚葉印刷機等によって印刷される。この本文３は、その背に寒冷紗や背紙が接着され背固めされる。なお、本文３とは綴じ方を問わず丁合されたものをいう。
【００１５】
表紙４は、１枚の平滑紙２０を折り曲げることで形成され、表表紙部４ａ、裏表紙部４ｂ、及び背表紙部４ｃを有している。図２に示すように、表紙４は、例えば、芯材として機能する補強部材１０を平滑紙２０でくるむことで強度を高めたものであり、背や側面（表紙）部分が簡単に折れ曲がらないように形成される。
【００１６】
補強部材１０は、図２に示すように、本文３の表表紙、及び裏表紙に対向して配置される表紙形成部材１１、１２と、本文３の背表紙に対向して配置される背表紙形成部材１３と、を備えている。表表紙用の表紙形成部材１１は、表表紙の左領域と右領域に配置される２つの資材１４、１５により構成されており、裏表紙用の表紙形成部材１２は、裏表紙の左領域と右領域に配置される２つの資材１６、１７により構成されている。
【００１７】
補強部材１０の材質は、好適にはボール紙が用いられるが、例えば、プラスティック等の樹脂材、複数枚の紙を束ねて結合したものなどであっても構わない。
【００１８】
平滑紙２０は、図２（ａ）に示すように、表面が平滑な略矩形状の紙材であり、表紙形成部材１１、１２の間に並べて配置された背表紙形成部材１３の表面に貼着され、図２（ｂ）に示すように、その縁部が裏面に折り返されて表紙形成部材１１、１２及び背表紙形成部材１３に貼着されて成形される。
【００１９】
また、表紙形成部材１１、１２と背表紙形成部材１３の間は、適度に隙間を有して配置されており、平滑紙２０は、この隙間を境にして折り曲げられ、表紙４が成形される。また、表紙形成部材１１、１２を構成する資材１４と資材１５の間、及び資材１６と資材１７の間も、適度に隙間を有して配置されており、この隙間により形成される折り線Ｌを境にして折り曲げられ、表表紙又は裏表紙の一部を折り曲げることが可能である（図１）。
【００２０】
このように本実施形態の上製本１は、表紙４の表表紙又は裏表紙を折り曲げ可能とすることで、本文３のページをめくりやすくすることが可能である。この折り線Ｌは、本文３の厚みや大きさ、及び使用者による持ちやすさやめくり易さを考慮してその位置が設定される。
【００２１】
この折り線Ｌが設定される小口側からの距離Ｓ１は、小口側から背側までの距離Ｓに対して２５〜７５％の範囲に設定される。さらに好適には、７０％以下、若しくは、小口側から１０ｃｍ以下に設定される。
【００２２】
なお、この折り線Ｌの位置にしたがって、表紙形成部材１１、１２を構成する資材１４〜１７の大きさや形状は適宜変更される。
【００２３】
そして、上製本１は、本文３の表表紙と裏表紙が表紙形成部材１１、１２の裏面に貼着されて製本される。
【００２４】
このような上製本１によれば、表紙形成部材１１、１２は、２つの資材１４、１５及び１６、１７により構成されており、表紙４を折り曲げることが可能となっている。よって、本文３をめくる際に、表紙４を折り曲げることでページがめくりやすくなる。また、表紙４は、補強部材１０が設けられているため強度を有しており、例えば、落下等による外力から本文３が保護される。よって、簡易な構造ながら使いやすさの向上が容易に図れる。
【００２５】
（第２実施形態）
次に、図４を用いて上製本の他の実施形態を説明する。なお、本実施形態は、上述した実施形態と表紙の構成のみが異なり、その他の構成は基本的に同じである。したがって、上述した上製本との相違点のみを説明し、上記実施形態で示した同一部分は同一符号で示し、その説明も省略する。
【００２６】
上記実施形態の上製本１は、表紙４の表表紙部４ａ及び裏表紙部４ｂが折り曲がるのに対して、本実施形態の上製本１は、表表紙部４ａ又は裏表紙部４ｂのどちらか一方が折り曲がる点で異なる。なお、図４は、表表紙部４ａが折り曲がる一形態を示すものである。
【００２７】
具体的には、表紙４は、例えば、芯材として機能する補強部材１０と、平滑紙２０と、を備える。補強部材１０は、図４に示すように、本文３の表表紙、及び裏表紙に対向して配置される表紙形成部材１１、１２と、本文３の背表紙が貼着される背表紙形成部材１３と、を備えている。表表紙用の表紙形成部材１１は、表表紙の左領域と右領域とを分割するようにして配置される２つの資材１４、１５により構成されている。一方、裏表紙用の表紙形成部材１２は、本文３の裏表紙の全体領域を覆う大きさを有する１枚の資材１８により構成されている。すなわち、表紙形成部材１１、１２は、本文３の表表紙側に配置される２つの資材１４、１５と、本文３の裏表紙側に配置される1枚の資材１８の合計３つの資材１４、１５、１８を備える。
【００２８】
平滑紙２０は、表面が平滑な略矩形状の紙材であり、表紙形成部材１１、１２の間に並べて配置された背表紙形成部材１３の表面に貼着され、その縁部が裏面に折り返されて表紙形成部材１１、１２及び背表紙形成部材１３に貼着される。
【００２９】
なお、裏表紙を２つの資材で構成し、表表紙を１つの資材で構成してもかまわない。
【００３０】
また、表紙形成部材１１、１２と背表紙形成部材１３の間は、適度に隙間を有して配置されており、平滑紙２０は、この隙間を境にして折り曲げられ、表紙が成形される。また、表紙形成部材１１を構成する資材１４と資材１５の間も、適度に隙間を有して配置されており、この隙間により形成される折り線Ｌを境にして折り曲げられ、表表紙部４ａを折り曲げることが可能である。
【００３１】
そして、上製本１は、本文３の表表紙と裏表紙が表紙形成部材１１、１２の裏面に貼着されて製本される。
【００３２】
このような上製本１によれば、表表紙用の表紙形成部材１１は、２つの資材１４、１５により構成されているため、表紙４の表表紙側を折り曲げることが可能となっている。よって、本文３をめくる際に、表表紙側の表紙４を折り曲げることでページがめくりやすくなる。また、表紙４は、補強部材１０が設けられているため強度を有しており、例えば、落下等による外力から本文３が保護される。よって、簡易な構造ながら使いやすさの向上が容易に図れる。
【００３３】
（第３実施形態）
次に、図５を用いて本発明の構成を取り入れたハードカバーの実施形態を説明する。なお、本実施形態は、上述した実施形態の構成をとりいれたものであり、その構成は基本的に同じである。したがって、上述した上製本の構成との相違点のみを説明し、上記実施形態で示した同一部分は同一符号で示し、その説明も省略する。
【００３４】
本実施形態のハードカバー３０は、本等の冊子の左右の表紙を覆うものであって、図５（ｂ）に示すように、左右の表紙を挿入する表紙挿入部４０を備えている。この表紙挿入部４０は、平滑紙３１の左右両側を内側に折り返して、折り返し部分の上下端部が糊等の接着剤３５により貼着されることで形成される。なお、冊子とは、本や手帳などのように紙を綴じたものをいう。
【００３５】
ハードカバー３０は、１枚の平滑紙３１を折り曲げることで形成され、表表紙部４ａ、裏表紙部４ｂ、及び背表紙部４ｃを有している。図５に示すように、ハードカバー３０は、例えば、芯材として機能する補強部材１０を平滑紙３１でくるむことで強度を高めたものであり、背や側面（表紙）部分が簡単に折れ曲がらないように形成される。
【００３６】
補強部材１０は、図５に示すように、本文３の表表紙、及び裏表紙に対向して配置される表紙形成部材１１、１２と、本文３の背表紙に対向して配置される背表紙形成部材１３と、を備えている。表表紙用の表紙形成部材１１は、表表紙の左領域と右領域に配置される２つの資材１４、１５により構成されており、裏表紙用の表紙形成部材１２は、裏表紙の左領域と右領域に配置される２つの資材１６、１７により構成されている。
【００３７】
補強部材１０の材質は、好適にはボール紙が用いられるが、例えば、プラスティック等の樹脂材、複数枚の紙を束ねて結合したものなどであっても構わない。
【００３８】
平滑紙３１は、図５（ａ）に示すように、表面が平滑な略矩形状の紙材であり、表紙形成部材１１、１２の間に並べて配置された背表紙形成部材１３の表面に貼着され、図５（ｂ）に示すように、その左右両端部が内側に折り返されて上述した表紙挿入部４０が形成されて成形される。なお、平滑紙３１は、更にその上下の縁部が裏面に折り返されて表紙形成部材１１、１２及び背表紙形成部材１３に貼着されてハードカバー３０を成形しても良い。
【００３９】
また、表紙形成部材１１と背表紙形成部材１３の間は、適度に隙間を有して配置されており、平滑紙３１は、この隙間を境にして折り曲げられてハードカバー３０が成形される。また、表紙形成部材１１、１２を構成する資材１４〜１７の間も、適度に隙間を有して配置されており、この隙間により形成される折り線Ｌを境にして折り曲げられ、表表紙部４ａ又は裏表紙部４ｂを折り曲げることが可能である。なお、折り線Ｌは、本文３の厚みや大きさ、及び使用者による持ちやすさやめくり易さを考慮してその位置が設定される。また、設定された位置により、補強部材１０を構成する資材１４〜１７の大きさや形状が適宜変更される。
【００４０】
このように本実施形態のハードカバー３０は、表紙挿入部４０を備え、冊子の表表紙及び裏表紙を挿入することで冊子に装着可能となっている。また、表紙形成部材１１、１２は、２つの資材１４、１５及び１６、１７により構成されており、表表紙部４ａ又は裏表紙部４ｂを折り曲げることが可能となっている。よって、冊子をめくる際に、表表紙部４ａ又は裏表紙部４ｂを折り曲げることでページがめくりやすくなる。また、ハードカバー３０は、補強部材１０が設けられているため強度を有しており、例えば、落下等による外力から冊子が保護される。よって、簡易な構造ながら使いやすさの向上が容易に図れる。
【００４１】
なお、本発明は上記実施の形態に限定されるものではなく、本発明の要旨の範囲内で種々変更可能である。例えば、本実施形態では、表紙形成部材１１、１２として２つの資材を小口側から背側に向かって並べて配置したが、更に細かく分割して配置しても構わない。さらに、補強部材は、略矩形状に形成しているが、例えば、表紙の上辺と側部辺とを結ぶ折り線Ｌを形成するために三角形状の補強部材を用いても構わない。このようにすれば、表表紙の右隅のみを折り曲げ可能とすることができる。
【００４２】
また、第１実施形態において、補強部材１０は、全部で表紙用の資材１４〜１７と背表紙形成部材１３の５つの資材（部材）により構成されているが、資材１５、背表紙部材１３、資材１７を１枚の資材として構成し、その資材の表表紙部４ａと背表紙部４ｃ、及び裏表紙部４ｂと背表紙部４ｃとの境に折り筋を入れても構わない。
【００４３】
また、本実施形態のハードカバーの構成は、適宜上製本１の構成を適用することができる。
【符号の説明】
【００４４】
１  上製本
３  本文
４  表紙
１０  補強部材
１１  表紙形成部材
１２  背表紙形成部材
２０、３１  平滑紙
３０  ハードカバー
４０  表紙挿入部
【図１】
2015104855.tif 000003
【図２】
2015104855.tif 000004
【図３】
2015104855.tif 000005
【図４】
2015104855.tif 000006
【図５】
2015104855.tif 000007